【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
複数の画素を有するディスプレイを回復させる方法であって、各画素は、発光デバイスと、前記発光デバイスを駆動するための駆動トランジスタとを有し、前記駆動トランジスタおよび前記発光デバイスは、第１電源と第２電源との間に直列に結合されるものである、方法において、
第１フレーム中に、有効な画像の画像プログラミング電圧とは異なる第１プログラミング電圧で、前記複数の画素の第１画素をプログラムするステップと、前記駆動トランジスタおよび前記発光デバイスの少なくとも一方が逆バイアスの状態下にあるようにするように、前記第１電源の電圧および前記第２電源の電圧の少なくとも一方を充電するステップと、
前記第１フレームに続く１以上のスタンバイ・フレーム中に、前記駆動トランジスタおよび前記発光デバイスの前記少なくとも一方が、前記ディスプレイの老化を回復させるように、前記ディスプレイがオフのときに前記逆バイアスを維持することを可能とするステップと
を備える方法。
【請求項２】
請求項１に記載の方法であって、
前記複数の画素の前記第１画素を回復電圧でプログラムするステップであって、前記回復電圧に従って前記第１画素の前記駆動トランジスタを逆バイアスにするものであり、前記回復電圧は、前記第１画素の老化の履歴に基づくものである、ステップ
を備える方法。
【請求項３】
請求項１に記載の方法であって、
前記第１フレームの後の第２フレーム中に、前記第１電源および前記第２電源の電圧レベルを変化させることなく、第２プログラミング電圧で前記第１画素をプログラムし、前記駆動トランジスタおよび前記発光デバイスの他方のものが逆バイアスの状態下にあるようにするステップ
を更に備える方法。
【請求項４】
請求項１に記載の方法であって、
前記複数の画素の各画素を、各画素に対する回復電圧でプログラムするステップであって、前記回復電圧に従って各画素の前記駆動トランジスタを逆バイアスにするものであり、各画素に対する前記回復電圧は、各画素回路の老化プロファイルに従って計算されるものであり、それにより前記複数の画素の様々な画素の老化を低減する、ステップ
を備える方法。
【請求項５】
請求項１に記載の方法であって、
前記複数の画素の各画素を、各画素に対する回復電圧でプログラムするステップであって、前記回復電圧に従って各画素の前記駆動トランジスタを逆バイアスにするものであり、各画素に対する前記回復電圧は、各画素回路の老化プロファイルに従ってルックアップ・テーブルから読み出されるものであり、それにより前記複数の画素の様々な画素の老化を低減する、ステップ
を備える方法。
【請求項６】
請求項１に記載の方法であって、
前記第１プログラミング電圧でプログラムする前記ステップが、通常のアクティブ時間の間に実行されるものであり、前記アクティブ時間は通常動作時間であり、前記通常動作時間中において、前記ディスプレイは、通常のプログラミングおよび駆動のサイクル中に有効な画像を表示するものであり、１フレームの時間には、有効な画像を表示するためおよび前記駆動トランジスタおよび前記発光デバイスの少なくとも一方を逆バイアスにするために前記ディスプレイをプログラムすることおよび駆動することが含まれる、
方法。
【請求項７】
請求項６に記載の方法であって、
プログラミング・サイクル中に、有効な画像に対するプログラミング電圧で各画素をプログラムするステップと、
駆動サイクル中に、前記プログラミング電圧に従って前記発光デバイスから光を発するように各画素を駆動するステップと、
前記プログラミング電圧の大きさに基づいて、各画素の前記駆動トランジスタへ電圧を印加するステップであって、各画素回路の前記駆動トランジスタは、前記駆動サイクル中に前記画素のストレス状態に従って逆バイアスとされる、ステップと
を備える方法。
【請求項８】
請求項１に記載の方法であって、前記第１プログラミング電圧で前記第１画素をプログラムする前記ステップが、前記第１画素に対する通常のプログラミングおよび駆動のサイクルの後に実行される、方法。
【請求項９】
画素回路であって、
発光デバイスと、
ゲート端子、前記発光デバイスに結合される第１端子、および第２端子を有し、前記発光デバイスを駆動するための駆動トランジスタであって、該駆動トランジスタおよび前記発光デバイスが直列に第１電力供給ラインと第２電力供給ラインとの間に接続されるものである、駆動トランジスタと、
ストレージ・キャパシタと、
前記駆動トランジスタの前記ゲート端子へプログラミング・データを供給するためにデータ・ラインに結合される第１スイッチ・トランジスタと、
前記駆動トランジスタの閾値電圧シフトを低減するための第２スイッチ・トランジスタであって、該第２スイッチ・トランジスタおよび前記ストレージ・キャパシタが並列に前記駆動トランジスタの前記ゲート端子と前記駆動トランジスタの前記第１端子とに結合される、第２スイッチ・トランジスタと、
前記第１スイッチ・トランジスタ、前記第２スイッチ・トランジスタ、前記データ・ライン、前記第１電力供給ライン、および前記第２電力供給ラインを動作させるためのコントローラであって、
第１フレーム中に、有効な画像の画像プログラミング電圧とは異なる第１プログラミング電圧を、前記第１スイッチ・トランジスタを介して前記駆動トランジスタの前記ゲート端子へ印加することにより、前記画素回路が前記第１プログラミング電圧でプログラムされるように動作させ、かつ、前記駆動トランジスタおよび前記発光デバイスの少なくとも一方が逆バイアスの状態下にあるようにするように前記第１電力供給ラインおよび前記第２電力供給ラインの少なくとも一方が設定されるように動作させ、かつ
前記第１フレームに続く１以上のスタンバイ・フレーム中に、前記駆動トランジスタおよび前記発光デバイスの前記少なくとも一方が、前記ディスプレイの老化を回復させるように、前記ディスプレイがオフのときに前記逆バイアスを維持するように動作させる
ように構成されるコントローラと
を備える画素回路。
【請求項１０】
請求項９に記載の画素回路であって、前記コントローラは、前記画素回路を回復電圧でプログラムするように構成され、それにより前記駆動トランジスタを前記回復電圧に従って逆バイアスにするものであり、前記回復電圧は、前記画素回路の老化の履歴に基づくものである、画素回路。
【請求項１１】
請求項９に記載の画素回路であって、前記コントローラは、回復電圧を前記画素回路の老化プロファイルに従って計算するように、または前記回復電圧を前記老化プロファイルに従ってルックアップ・テーブルから読み出すように構成される、画素回路。
【請求項１２】
請求項９に記載の画素回路であって、前記発光デバイスが有機発光ダイオードを備え、前記トランジスタの少なくとも１つは薄膜トランジスタである、画素回路。
【請求項１３】
表示システムであって、
行および列に配置された複数の画素回路を有する画素のアレイを備え、
各画素回路は、
発光デバイスと、
前記発光デバイスを駆動するための駆動トランジスタであって、該駆動トランジスタおよび前記発光デバイスが直列に第１電力供給ラインと第２電力供給ラインとの間に接続されるものである、駆動トランジスタと、
データ・ラインを介して前記駆動トランジスタのゲート端子へプログラミング・データを供給するための第１スイッチ・トランジスタと、
前記プログラミング電圧に従って充電されるストレージ・キャパシタと、
緩和サイクル中に、前記ストレージ・キャパシタの放電を行うために、前記ストレージ・キャパシタと並列に接続される第２スイッチ・トランジスタと、
を備え、
前記表示システムは更に、
プログラミング・データに従って前記プログラミング電圧を供給するために前記データ・ラインを駆動するためのソース・ドライバと、
前記画素回路の前記第１スイッチ・トランジスタおよび前記第２スイッチ・トランジスタを駆動するためのゲート・ドライバと、
前記ソース・ドライバ、前記ゲート・ドライバ、前記第１電力供給ライン、および前記第２電力供給ラインを動作させるためのコントローラであって、
第１フレーム中に、前記画素回路が、有効な画像の画像プログラミング電圧とは異なる第１プログラミング電圧でプログラムされるように動作させ、かつ、前記駆動トランジスタおよび前記発光デバイスの少なくとも一方が逆バイアスの状態下にあるようにするように前記第１電力供給ラインおよび前記第２電力供給ラインの少なくとも一方が設定されるように動作させ、かつ
前記第１フレームに続く１以上のスタンバイ・フレーム中に、前記駆動トランジスタおよび前記発光デバイスの前記少なくとも一方が、ディスプレイの老化を回復させるように、前記ディスプレイがオフのときに前記逆バイアスを維持するように動作させる
ように構成されるコントローラと
を備える表示システム。
【請求項１４】
請求項１３に記載の表示システムであって、前記ゲート・ドライバの出力を前記第１スイッチ・トランジスタまたは前記第２スイッチ・トランジスタへ選択的に結合するスイッチ回路を備え、前記スイッチ回路が、
前記ゲート・ドライバの出力および前記第１選択ラインに結合され、第１イネーブル信号を受け取るためのゲート端子を有する第３スイッチ・トランジスタと、
前記ゲート・ドライバの出力および前記第２選択ラインに結合され、第２イネーブル信号を受け取るためのゲート端子を有する第４スイッチ・トランジスタと、
前記第１選択ラインおよび電力供給ラインに結合され、前記第２イネーブル信号を受け取るためのゲート端子を有する第５スイッチ・トランジスタと、
前記第２選択ラインおよび前記電力供給ラインに結合され、前記第１イネーブル信号を受け取るためのゲート端子を有する第６スイッチ・トランジスタと、
を備える、表示システム。
【請求項１５】
請求項１３に記載の表示システムであって、前記コントローラは、前記複数の画素回路の各画素回路を、各画素回路に対する回復電圧でプログラムするように構成され、それにより各画素回路の前記駆動トランジスタを前記回復電圧に従って逆バイアスにするものであり、各画素回路に対する前記回復電圧は、各画素回路の老化プロファイルに従って計算されるものであり、それにより前記複数の画素回路の様々な画素回路の老化を低減する、表示システム。
【請求項１６】
請求項１３に記載の表示システムであって、前記コントローラは、
プログラミング・サイクル中に、有効な画像に対するプログラミング電圧で各画素回路をプログラムし、
駆動サイクル中に、前記プログラミング電圧に従って前記発光デバイスから光を発するように各画素回路を駆動し、
前記プログラミング電圧の大きさに基づいて、各画素回路の前記駆動トランジスタへ電圧を印加するようにし、各画素回路の前記駆動トランジスタが、前記駆動サイクル中に前記画素回路のストレス状態に従って逆バイアスとされるようにする
ように構成される、表示システム。
【請求項１７】
請求項１３に記載の表示システムであって、各画素回路の前記発光デバイスは有機発光ダイオードを含み、前記ディスプレイのアレイがＡＭＯＬＥＤディスプレイである、表示システム。